(57)【要約】【課題】            紙受け板上に積載した用紙の積載量の多寡に影響されることなく、紙受け板上に排紙する用紙が常に安定した飛形で落下し、紙受け板上に積載する用紙の紙揃えを良好に行うことができる紙受け装置を提供する。【解決手段】        前段の装置から排紙する用紙２１を積層保持する紙受け板２２と、用紙の排紙方向と直交する用紙幅方向で相対向して紙受け板２２の両側に配置する側板部２３とを備え、双方の側板部２３は、用紙幅と見合う間隔に相対向させる紙揃え面２５ａを有するベースガイド２５と、ベースガイド２５の紙揃え面２５ａの上方位置で用紙幅より狭い間隔に相対向させる固定摺接面２７を有する固定ガイド２６と、固定ガイド２６からベースガイド２５に沿って上下動し、用紙幅より狭い間隔に相対向させる可動摺接面２９を有する可動ガイド２８を設けた構成をなす。【選択図】          図３
2006306568.tif 000002
【特許請求の範囲】
【請求項１】
前段の装置から排紙する用紙を積層保持する紙受け板と、用紙の排紙方向と直交する用紙幅方向で相対向して紙受け板の両側に配置する側板部とを備え、双方の側板部は、用紙幅と見合う間隔に相対向させる紙揃え面を有するベースガイドと、ベースガイドに沿って上下動し、ベースガイドの紙揃え面の上方位置で用紙幅より狭い間隔に相対向させる可動摺接面を有する可動ガイド手段からなることを特徴とする紙受け装置。
【請求項２】
前段の装置から排紙する用紙を積層保持する紙受け板と、用紙の排紙方向と直交する用紙幅方向で相対向して紙受け板の両側に配置する側板部とを備え、双方の側板部は、用紙幅と見合う間隔に相対向させる紙揃え面を有するベースガイドと、ベースガイドの紙揃え面の上方位置で用紙幅より狭い間隔に相対向させる固定摺接面を有する固定ガイドと、固定ガイドからベースガイドに沿って上下動し、用紙幅より狭い間隔に相対向させる可動摺接面を有する可動ガイド手段からなることを特徴とする紙受け装置。
【請求項３】
可動ガイド手段は、可動摺接面をなす可動ガイドと、紙受け板上に積載する用紙の積載量に見合って可動ガイドの位置を変更するガイド位置変更手段からなることを特徴とする請求項１又は２に記載の紙受け装置。
【請求項４】
可動ガイドは、固定ガイドの内外にわたって上下動することを特徴とする請求項２に記載の紙受け装置。
【請求項５】
ガイド位置変更手段は、可動ガイドをベースガイドに沿って上下動させるガイド駆動手段と、紙受け板上に積載する用紙の積載量を検知する積載量検知手段を有することを特徴とする請求項３に記載の紙受け装置。
【請求項６】
双方の側板部は、紙受け板上で用紙幅方向に沿って移動可能に設けることを特徴とする請求項１又は２に記載の紙受け装置。
【請求項７】
双方の側板部の固定ガイドは、排紙方向で用紙に対向する端部側に、双方の固定摺接面間を用紙幅より広い間隔から用紙幅より狭い間隔へ漸次に狭くする傾斜面を有することを特徴とする請求項１又は２に記載の紙受け装置。
【発明の詳細な説明】
【技術分野】
【０００１】
本発明は紙受け装置に関し、用紙に所定の処理を施すプリンター、印刷機等の機械装置から排出する用紙を受け止める技術に係るものである。
【背景技術】
【０００２】
従来、この種の紙受け装置としては、特許文献１に記載するものがある。これは図６に示すようなものであり、底板（紙受け板）１の両側に一対の側板２を設け、この一対の側板２の内側面に下側よりも上側が内方に突出した段差面３を形成したものである。側板２の用紙４が導入される入口側には、排紙方向に向けて上り勾配をなす用紙滑走面（図示省略）を段差面３と連続に形成している。
【０００３】
この構成では、側板２の間に排紙される印刷用紙４が用紙滑走面によってＵ字形に湾曲された後、段差面３によって同形状に保持されながら滑走して自重で落下し、段差面３を外れたところで湾曲形状が開放されて底板１の上に積載される。
【特許文献１】実開平５−２６９４４号公報
【発明の開示】
【発明が解決しようとする課題】
【０００４】
しかし、上記した構成において、底板１の上に積載される印刷用紙が少ない場合に、側板２の間に排紙された印刷用紙が段差面３を外れて底板１の上に積載されるまでの自由落下距離が長くなって、自由落下する印刷用紙の飛形が安定せず、底板１の上に積載される印刷用紙の排紙方向における紙揃えが悪くなる。
【０００５】
本発明は上記した課題を解決するものであり、紙受け板上に積載した用紙の積載量の多寡に影響されることなく、紙受け板上に排紙する用紙が常に安定した飛形で落下し、紙受け板上に積載する用紙の紙揃えを良好に行うことができる紙受け装置を提供することを目的とする。
【課題を解決するための手段】
【０００６】
上記課題を解決するために、本発明の紙受け装置は、前段の装置から排紙する用紙を積層保持する紙受け板と、用紙の排紙方向と直交する用紙幅方向で相対向して紙受け板の両側に配置する側板部とを備え、双方の側板部は、用紙幅と見合う間隔に相対向させる紙揃え面を有するベースガイドと、ベースガイドに沿って上下動し、ベースガイドの紙揃え面の上方位置で用紙幅より狭い間隔に相対向させる可動摺接面を有する可動ガイド手段からなるものである。
【０００７】
また、本発明の紙受け装置は、前段の装置から排紙する用紙を積層保持する紙受け板と、用紙の排紙方向と直交する用紙幅方向で相対向して紙受け板の両側に配置する側板部とを備え、双方の側板部は、用紙幅と見合う間隔に相対向させる紙揃え面を有するベースガイドと、ベースガイドの紙揃え面の上方位置で用紙幅より狭い間隔に相対向させる固定摺接面を有する固定ガイドと、固定ガイドからベースガイドに沿って上下動し、用紙幅より狭い間隔に相対向させる可動摺接面を有する可動ガイド手段からなるものである。
【０００８】
上記した構成により、前段の装置から双方の側板部の間に排紙された用紙は、用紙幅方向の両側縁を固定ガイドの固定摺接面に摺接させて湾曲形状を保ちながら両固定摺接面間を自重で落下し、可動ガイド手段の可動摺接面を通過して後に、ベースガイドの紙揃え面間において湾曲形状が開放された状態で自由落下し、紙受け板上に積載される。
【０００９】
この用紙の積載操作において、可動摺接面の下端と紙受け板上で最上の用紙面との距離が小さいほどに、用紙が湾曲形状を開放された状態でベースガイドの紙揃え面間を自由落下する距離が短くなり、紙受け板上に排紙する用紙の飛形が安定する。
【００１０】
このため、可動摺接面の下端と紙受け板上で最上の用紙面との距離を所定最小距離、例えば用紙の湾曲形状を開放するのに必要な最小の距離ほどに調整し、紙受け板上に積載する用紙の積載量が増加するほどに、可動ガイド手段の可動摺接面を上方へ移動させ、可動摺接面の下端と紙受け板上で最上の用紙面との距離を所定最小距離に一定保持することで、紙受け板上に積載する用紙の紙揃えを良好に行うことができる。
【００１１】
また、可動ガイド手段は、可動摺接面をなす可動ガイドと、紙受け板上に積載する用紙の積載量に見合って可動ガイドの位置を変更するガイド位置変更手段からなるものである。
【００１２】
また、可動ガイドは、固定ガイドの内外にわたって上下動するものである。
また、ガイド位置変更手段は、可動ガイドをベースガイドに沿って上下動させるガイド駆動手段と、紙受け板上に積載する用紙の積載量を検知する積載量検知手段を有するものである。
【００１３】
また、双方の側板部は、紙受け板上で用紙幅方向に沿って移動可能に設けるものである。
また、双方の側板部の固定ガイドは、排紙方向で用紙に対向する端部側に、双方の固定摺接面間を用紙幅より広い間隔から用紙幅より狭い間隔へ漸次に狭くする傾斜面を有するものである。
【発明の効果】
【００１４】
以上のように本発明によれば、紙受け板上に積載する用紙の積載量が増加するほどに、可動ガイド手段の可動摺接面を上方へ移動させて、可動摺接面の下端と紙受け板上で最上の用紙面との距離を所定最小距離に保持することで、紙受け板上に排紙する用紙が常に安定した飛形で落下し、紙受け板上に積載する用紙の紙揃えを良好に行うことができる。
【発明を実施するための最良の形態】
【００１５】
以下、本発明の実施の形態を図面に基づいて説明する。図１から図３において、紙受け装置は、プリンター、印刷機等の前段の機械装置（図示省略）から排紙する用紙２１を積層保持する紙受け板２２と、用紙２１の排紙方向と直交する用紙幅方向で相対向して紙受け板２２の両側に配置する側板部２３と、用紙２１の排紙方向で用紙２１を受け止めるストッパー２４とを備えており、双方の側板部２３は紙受け板２２の上で用紙幅方向に沿って移動可能に設けている。側板部２３の移動機構は公知の技術であり、ここでの説明を省略する。
【００１６】
図２に示すように、双方の側板部２３のベースガイド２５は下側部に紙揃え面２５ａを有し、双方のベースガイド２５は紙揃え面２５ａが用紙幅と見合う間隔で相対向する設定位置に保持される。
【００１７】
各側板部２３はベースガイド２５の上側部に固定ガイド２６を設けており、固定ガイド２６は固定摺接面２７を有し、双方の固定ガイド２６は固定摺接面２７がベースガイド２５の紙揃え面２５ａの上方位置で用紙幅より狭い間隔に相対向する設定位置に保持される。
【００１８】
固定ガイド２６は、排紙方向で用紙２１に対向する端部側に、双方の固定摺接面間を用紙幅より広い間隔から用紙幅より狭い間隔へ漸次に狭くする傾斜面２７ａを有している。  各側板部２３に設ける可動ガイド手段は可動ガイド２８とガイド位置変更手段からなり、紙受け板２２の上に積載する用紙２１の積載量に見合って可動ガイド２８の位置を変更するものである。
【００１９】
可動ガイド２８は可動摺接面２９を有しており、双方の可動ガイド２８は可動摺接面２９が用紙幅より狭い間隔に相対向する設定位置に保持される。可動ガイド２８は固定ガイド２６の内部に収納する位置と固定ガイド２６の内部に突出する位置とにわたり、ベースガイド２５に沿って上下に出退可能に設けており、ベースガイド２５が一対の長孔３０のそれぞれにおいて可動ガイド２８の一対の接合ピン３１のそれぞれを上下方向に移動可能に保持している。
【００２０】
ガイド位置変更手段はガイド駆動手段と積載量検知手段を有している。ガイド駆動手段は、可動ガイド２８をベースガイド２５に沿って上下動させるもので、ベースガイド２５の背面側に一対のラック３２を上下方向に沿って平行に配置し、ラック３２と接合ピン３１を連結部材３３で連結している。各ラック３２に噛合する一対のピニオンギヤ３４は、ベースガイド２５に設けた軸受３５ａで回転自在に保持するシャフト３５ｂにより連結しており、モータ３６に設けたギヤ３７が一方のピニオンギヤ３４に噛合している。
【００２１】
積載量検知手段は、紙受け板２２の上に積載する用紙２１の積載量を検知するものであり、本実施の形態では、図３に示すように、双方のベースガイド２５に設けた光センサー３８からなる。
【００２２】
ガイド位置変更手段は、紙受け板２２の上に積載する用紙２１の用紙層が積載量検知手段の光センサー３８の光軸を遮断することにより、用紙２１が所定積載量に達したことを検知し、ガイド駆動手段のモータ３６を駆動してギヤ３７とピニオンギヤ３４の噛合によって可動ガイド２８を予め設定する上方の所定位置まで移動させる。
【００２３】
以下、上記した構成における作用を説明する。前段の装置から双方の側板部２３の間に排紙される用紙２１は、固定ガイド２６の傾斜面２７ａに案内されて湾曲しながら固定ガイド２６の固定摺接面２７の間に進入し、ストッパー２４に衝突する。
【００２４】
傾斜面２７ａを設けない場合には、前段の装置から双方の側板部２３の間に湾曲した状態で用紙２１を排紙する。
その後、図３に示すように、用紙２１は、用紙幅方向の両側縁を固定ガイド２６の固定摺接面２７に摺接させて湾曲形状を保ちながら両固定摺接面２７の間を自重で落下し、同様に可動ガイド２８の可動摺接面２９の間を自重で落下する。
【００２５】
そして、可動ガイド２８の可動摺接面２９の下端からベースガイド２５の紙揃え面２５ａの間に落下する用紙２１は、湾曲形状が開放された状態で自由落下して紙受け板２２の上に順次に積載される。
【００２６】
この用紙の積載操作において、図３に示すように、可動摺接面２９の下端２９ａと紙受け板２２の上に積載された用紙層の最上の用紙面２１ａとの距離が小さいほどに、用紙２１が湾曲形状を開放された状態でベースガイド２５の紙揃え面２５ａの間を自由落下する距離が短くなり、紙受け板２２の上に排紙する用紙２１の飛形が安定する。
【００２７】
このため、可動摺接面２９の下端２９ａと紙受け板２２の上に積載された用紙層の最上の用紙面２１ａとの距離を所定最小距離、例えば用紙２１の湾曲形状を開放するのに必要な最小の距離ほどに調整する。
【００２８】
そして、図３（ｂ）に示すように、紙受け板２２の上に積載する用紙２１の用紙層が光センサー３８の光軸を遮断することにより、用紙２１が所定積載量に達したことを検知したときに、ガイド駆動手段のモータ３６を駆動してギヤ３７とピニオンギヤ３４の噛合によって可動ガイド２８を予め設定する上方の所定位置まで移動させる。このとき、可動ガイド２８は固定ガイド２６の内部に収納され、ベースガイド２５より上方へ突出することがないので、装置をコンパクトな構成とすることができる。
【００２９】
このように、紙受け板２２の上に積載する用紙２１の積載量が増加するほどに、可動ガイド２８の可動摺接面２９を上方へ移動させ、可動摺接面２９の下端２９ａと紙受け板２２の上に積載した用紙層の最上の用紙面２１ａとの距離を所定最小距離に一定保持することで、紙受け板２２の上に積載する用紙２１の紙揃えを良好に行うことができる。
【００３０】
本実施の形態では、ベースガイド２５に固定ガイド２６と可動ガイド手段の可動ガイド２８を設けたが、図４に示すように、可動ガイド２８のみの構成とすることも可能である。
【００３１】
また、本実施の形態では、１組の光センサー３８で積載量を検知する例を開示したが、積載量を多段的に検知するために、複数組の光センサー３８を上下方向に位置を違えて設けることも可能であり、この場合には各位置の光センサー３８で用紙２１の積載量を段階的に検知する毎に可動ガイド２８を、予め多段的に設定する各所定位置まで段階的に移動させる。
【００３２】
また、図５に示すように、光センサー３８は可動ガイド２８に設けることも可能である。この場合には、積載した用紙２１が光センサー３８の光軸を遮光する毎に、光センサー３８と可動ガイド２８の下端とを常に一定の距離Ｌ１に保ちながら、光センサー３８と可動ガイド２８が予め設定する各所定位置まで段階的に移動する。
【００３３】
また、光センサー３８の光軸を通過する用紙２１の枚数を積算し、積載枚数が予め設定する所定積載量の枚数に達する毎に、随時に所定距離だけ可動ガイド２８および光センサー３８を移動させることも可能である。
【００３４】
また、距離測定センサーを可動ガイド２８に設けることも可能である。この場合には、紙受け板２２の上に積載する用紙層の最上位紙面から距離測定センサーまでの距離を検知し、この距離が所定距離を維持するように、随時に可動ガイド２８および光センサー３８を移動させることも可能である。
【図面の簡単な説明】
【００３５】
【図１】本発明の実施の形態における紙受け装置を示す斜視図
【図２】同紙受け装置の側板部を示す、（ａ）平断面図、（ｂ）背面図、（ｃ）縦断面図
【図３】（ａ）は紙受け装置における可動ガイドが下方に突出した状態を示す図、（ｂ）は紙受け装置における可動ガイドが上方へ後退した状態を示す図
【図４】本発明の他の実施の形態における紙受け装置を示す模式図
【図５】本発明のさらに他の実施の形態における紙受け装置を示す模式図
【図６】従来の紙受け装置を示す断面図
【符号の説明】
【００３６】
２１    用紙
２１ａ  用紙面
２２    紙受け板
２３    側板部
２４    ストッパー
２５    ベースガイド
２５ａ  紙揃え面
２６    固定ガイド
２７    固定摺接面
２７ａ  傾斜面
２８    可動ガイド
２９    可動摺接面
２９ａ  可動摺接面の下端
３０    長孔
３１    接合ピン
３２    ラック
３３    連結部材
３４    ピニオンギヤ
３５ａ  軸受
３５ｂ  シャフト
３６    モータ
３７    ギヤ
３８    光センサー
【図１】
2006306568.tif 000003
【図２】
2006306568.tif 000004
【図３】
2006306568.tif 000005
【図４】
2006306568.tif 000006
【図５】
2006306568.tif 000007
【図６】
2006306568.tif 000008